(57)【特許請求の範囲】
【請求項１】
槽体（１）内側壁に開口したオーバーフロー孔（２）に連通する取水口（４）を有した箱体（３）と、
該箱体（３）の下壁（３ｂ）と前記取水口（４）の下端を同じ高さに構成し、該取水口（４）と連通するように開口と排出口（５）と、
から成るオーバーフロー装置であり、前記排出口（５）内周面と前記箱体（３）の後壁（３ｄ）及び左右のサイド壁（３ａ）とを、ある程度の距離を設けて隔設したことを特徴とするオーバーフロー装置。
【請求項２】
前記オーバーフロー装置において、前記箱体（３）の後壁（３ｄ）と、左右のサイド壁（３ａ）とが交わるコーナー部（６）を、湾曲させて連接したことを特徴とする請求項１に記載のオーバーフロー装置。
【請求項３】
前記オーバーフロー装置において、前記箱体（３）の後壁（３ｄ）を半円形状としたことを特徴とする請求項１に記載のオーバーフロー装置。
【請求項４】
前記後壁（３ｄ）を半円形状としたオーバーフロー装置において、前記排出口（５）の軸心と、前記後壁（３ｄ）の半円形状の中心とが平面視同一となるように隔設したことを特徴とする請求項３に記載のオーバーフロー装置。
【請求項５】
前記オーバーフロー装置において、前記箱体（３）の後壁（３ｄ）及び左右のサイド壁（３ａ）と、下壁（３ｂ）が交わるコーナー部（６）とが、それぞれ湾曲して連接していることを特徴とする請求項１乃至請求項４のいずれか一つに記載のオーバーフロー装置。
【請求項６】
前記オーバーフロー装置において、前記箱体（３）の後壁（３ｄ）及び左右のサイド壁（３ａ）と、上壁（３ｃ）が交わるコーナー部（６）が、それぞれ湾曲して連接していることを特徴とする請求項１乃至請求項５のいずれか一つに記載のオーバーフロー装置。
【請求項７】
前記オーバーフロー装置において、オーバーフロー装置に、一方が排出口（５）に接続され、他方が排出口（５）と異形となるソケット部材（７）を取り付けたことを特徴とする請求項１乃至請求項６のいずれか一つに記載のオーバーフロー装置。
【請求項８】
前記オーバーフロー装置において、前記槽体（１）内下面に開口された排水栓（８）からの排水と、前記排出口（５）からの排水が合して下水側に排出されるよう構成された請求項１乃至請求項６のいずれか一つに記載のオーバーフロー装置。
【発明の詳細な説明】
【０００１】
【発明の属する技術分野】
本発明は洗面台、浴槽、流し台などの槽体において、槽体より排水があふれ出すのを防止する、オーバーフロー装置に関するものである。
【０００２】
【従来の技術】
従来より洗面ボウルや浴槽、流し台などの槽体（１）には、槽体（１）の満水時において、更に排水が行われた場合に槽体（１）から水があふれることの無いように、図１３及び図１４に示すようにオーバーフロー装置と呼ばれる、あふれ防止用の排水装置が用いられている。従来のオーバーフロー装置は、槽体（１）内側壁に開口したオーバーフロー孔（２）に連通する、取水口（４）を有した箱体（３）と、該箱体（３）の下壁（３ｂ）に前記取水口（４）と連通するように開口した排出口（５）と、から構成され、前記排出口（５）内周の後端と、前記箱体（３）の後壁（３ｄ）とが図１３及び図１４のようにほぼ同一の位置に設けられている。このオーバーフロー装置は、槽体（１）内の水面がオーバーフロー孔（２）の下縁を越えた場合、槽体（１）内側壁に開口されたオーバーフロー孔（２）より、オーバーフロー孔（２）の下縁を越えた水（以下、「排水」と記載する）が、箱体（３）内を介して排出口（５）より排出され、前記連結管（９）を介して排水栓（８）から下水管へと排出される。
【０００３】
【発明が解決しようとする課題】
しかし、従来のオーバーフロー装置では、前記取水口（４）より取水した排水は、箱体（３）内でそのまま排出口（５）に流れ込む水流（以下、「順流」と記載）と、前記箱体（３）の後壁（３ｄ）にぶつかって排出口（５）に直接向かわない水流（以下、「乱流」と記載）とが発生し、この乱流が順流の流れを乱してオーバーフロー装置の排水スピードが落ち、排水が間に合わずに槽体（１）から水があふれてしまうことがあり、槽体（１）を載置した床面等を水浸しにしてしまう危険性があった。
【０００４】
本発明は前記乱流を抑えて排水スピードを向上させ、槽体（１）内の水が槽体（１）からあふれることなく、円滑に排水することができるオーバーフロー装置を提供するものである。
【０００５】
【課題を解決するための手段】
本発明は、槽体（１）内側壁に開口したオーバーフロー孔（２）に連通する取水口（４）を有した箱体（３）と、該箱体（３）の下壁（３ｂ）と前記取水口（４）の下端を同じ高さに構成し、該取水口（４）と連通するように開口と排出口（５）と、から成るオーバーフロー装置であり、前記排出口（５）内周面と前記箱体（３）の後壁（３ｄ）及び左右のサイド壁（３ａ）とを、ある程度の距離を設けて隔設したことを特徴とするオーバーフロー装置である。
【０００６】
また本発明は、前記段落０００５に記載のオーバーフロー装置において、前記箱体（３）の後壁（３ｄ）と、左右のサイド壁（３ａ）とが交わるコーナー部（６）を湾曲して連接したことを特徴とするオーバーフロー装置である。
【０００７】
また本発明は、前記段落０００５に記載のオーバーフロー装置において、前記箱体（３）の後壁（３ｄ）を半円形状としたことを特徴とするオーバーフロー装置である。
【０００８】
また本発明は、前記段落０００７に記載の後壁（３ｄ）を半円形状としたオーバーフロー装置において、前記排出口（５）の軸心と、前記後壁（３ｄ）の半円形状の中心とが平面視同一となるように隔設したことを特徴とするオーバーフロー装置である。
【０００９】
また本発明は、前記段落０００５乃至０００８いずれか一つに記載のオーバーフロー装置において、前記箱体（３）の後壁（３ｄ）及び左右のサイド壁（３ａ）と、下壁（３ｂ）が交わるコーナー部（６）とが、それぞれ湾曲して連接していることを特徴とするオーバーフロー装置である。
【００１０】
また本発明は、前記段落０００５乃至０００８のいずれか一つに記載のオーバーフロー装置において、前記箱体（３）の後壁（３ｄ）及び左右のサイド壁（３ａ）と、上壁（３ｃ）が交わるコーナー部（６）が、それぞれ湾曲して連接していることを特徴とするオーバーフロー装置である。
【００１１】
また本発明は前記段落０００５乃至００１０のいずれか１つに記載のオーバーフロー装置において、オーバーフロー装置に、一方が排出口（５）に接続され、他方が排出口（５）と異形となるソケット部材（７）を、取り付けたことを特徴とするオーバーフロー装置である。
【００１２】
また本発明は、前記段落０００５乃至００１０のいずれか一つに記載のオーバーフロー装置において、前記槽体（１）内下面に開口された排水栓（８）からの排水と、前記排出口（５）からの排水が合して下水側に排出されるよう構成されたオーバーフロー装置である。
【００１３】
【発明の実施の形態】
本発明の第一実施例は、図４に示すように、下面に排水栓（８）が開口され、上縁寄りの側壁面にあふれ防止用のオーバーフロー孔（２）が開口された洗面ボウルを使用している。このような洗面ボウルに、図１から図３に示したように側面に取水口（４）を有した箱体（３）と、該箱体（３）の下壁（３ｂ）に取水口（４）と連通するようにした排出口（５）と、から成り、さらに排出口（５）と箱体（３）の左右サイド壁（３ａ）及び後壁（３ｄ）に、一定の距離を設けて隔設したオーバーフロー装置を、取水口（４）が洗面ボウルのオーバーフロー孔（２）に連通するように、また、排出口（５）が連結管（９）を介して、洗面ボウルに備えた排水栓（８）に、それぞれ接続している。以上のように構成したので、洗面ボウルの水面がオーバーフロー孔（２）の下縁を超えた場合、排水は箱体（３）の排出口（５）により排出され、連結管（９）中を通過して排水栓（８）と合流し下水管へと排出される。
【００１４】
上記のように構成したオーバーフロー装置を用いた洗面ボウル等の槽体（１）において、槽体（１）内の水面がオーバーフロー孔（２）の下縁を超えた場合、排水は図１に示した矢印のように、箱体（３）の内壁に沿って、連結管（９）内に渦を巻きながら排出口（５）より排水される。従来のオーバーフロー装置では、通常、排水時には連結管（９）の中を気泡が逆流し排水の流れを妨げるため、排水性能が悪化するが、本第一実施例のオーバーフロー装置では連結管（９）中の渦が排水の流れを妨げることなく空気抜きを行うため、連結管（９）中の排水がスムーズとなり排水性能が向上する。
【００１５】
本発明の第二実施例は、図５及び図６に示すように、前記段落００１３に記載した構成に加えて、前記箱体（３）の後壁（３ｄ）と、左右のサイド壁（３ａ）とが交わるコーナー部（６）を直角に交差して連接するのではなく、緩やかな弧を描くように形成している（以下、「アール付け」と記載）。
【００１６】
上記のように構成したオーバーフロー装置は、前記段落００１４に記載した構成、効果に加えて、サイド壁（３ａ）と後壁（３ｄ）のコーナー部（６）をアール付けしたことで、サイド壁（３ａ）から後壁（３ｄ）、後壁（３ｄ）からサイド壁（３ａ）と水流が流れる際に、図５の矢印のように、水流がアールに沿って滑らかに進行方向を変えることが出来るので、乱流の発生が少なく円滑に排水することが出来、さらに排水スピードが向上する。
【００１７】
本発明の第三の実施例は、図７及び図８に示すように、前記段落００１３に記載した構成に加えて、前記箱体（３）の後壁（３ｄ）を半円形状としている。また、箱体（３）の下壁（３ｂ）と、後壁（３ｄ）及び左右サイド壁（３ａ）とのコーナー部（６）にはアール付けによって連接されている。
【００１８】
上記のように構成したオーバーフロー装置は、前記段落００１４に記載した構成、効果に加えて、後壁（３ｄ）を半円形状としたことによって、図７の矢印のように、水流が半円形状の後壁（３ｄ）に沿って抵抗をもたらすことなく進行方向を変えることが出来、更に、乱流の発生が少なく、円滑に排出することが出来、排水スピードが向上する。また、下壁（３ｂ）と後壁（３ｄ）及び左右のサイド壁（３ａ）とのコーナー部（６）をアール付けによって連接したことによって、コーナー部（６）を直角に交差して連接した場合と比べて更に乱流が発生しにくい。
【００１９】
本発明の第四実施例は、図９及び図１０に示すように、前記段落００１３に記載した構成に加えて、前記後壁（３ｄ）を半円形状とし、前記箱体（３）の排出口（５）の軸心と、該半円形状の後壁（３ｄ）の中心とが平面視同一となるように隔設し、上壁（３ｃ）及び下壁（３ｂ）と左右サイド壁（３ａ）とともに、上壁（３ｃ）及び下壁（３ｂ）と後壁（３ｄ）とのコーナー部（６）とを、アール付けによって連接されている。
【００２０】
また、上記のように構成したオーバーフロー装置は、図１１に示すように円筒状の上方が大径、下方が小径のソケット部材（７）を、前記箱体（３）の排出口（５）に取り付けている。
【００２１】
上記のように構成したオーバーフロー装置は、前記段落００１４に記載した構成、効果に加えて、前記箱体（３）の排出口（５）の軸心と、前記後壁（３ｄ）の半円形状の中心とが平面視同一となるように隔設したことによって、図９の矢印のように、水流が半円形状の後壁（３ｄ）に沿って乱流や抵抗をもたらすことなく進行方向を変えることが出来る。また、上壁（３ｃ）及び下壁（３ｂ）と左右サイド壁（３ａ）とともに、上壁（３ｃ）及び下壁（３ｂ）と後壁（３ｄ）とのコーナー部（６）とをアール付けによって連接したことによって、コーナー部（６）を直角に交差して連接した場合と比べて更に乱流が発生しにくい。
【００２２】
また、上記のように構成したオーバーフロー装置は、箱体（３）の排出口（５）に下方が小径のソケット部材（７）を取り付けたので、排出口（５）の口径より小径な連結管（９）のサイズを接続することが出来る。
【００２３】
【発明の効果】
本発明のオーバーフロー装置は以下Ａ）〜Ｇ）のような効果を奏する。
Ａ）請求項１に記載の本発明は、箱体（３）下壁（３ｂ）の排出口（５）内周縁と前記箱体（３）の後壁（３ｄ）及び左右のサイド壁（３ａ）とを、ある程度の距離を設けて隔設したことによって、箱体（３）内の水流が後壁（３ｄ）と排出口（５）の間を渦の水流を形成しつつ通過することが出来る。このため、従来であれば気泡が逆流して乱流を生じ排水性能の悪化を招くところ、渦によって空気抜きが出来るため、乱流が発生せず排水スピードを向上することが出来る。
Ｂ）請求項２に記載の本発明は、箱体（３）の後壁（３ｄ）と左右のサイド壁（３ａ）とが交わるコーナー部（６）にアールを設けたことによって箱体（３）内の乱流の発生を押さえることが出来、よって乱流の抵抗が少なく円滑に渦の水流が発生し、さらに排水スピードが向上することができる。
Ｃ）請求項３に記載の本発明は、箱体（３）の後壁（３ｄ）を半円形状としたことによって、箱体（３）内の乱流の発生を押さえることが出来、よって乱流の抵抗が少なく円滑に渦の水流が発生し、さらに排水スピードが向上することができる。
Ｄ）請求項４に記載の本発明は、箱体（３）の後壁（３ｄ）を半円形状にし、排出口（５）の軸心と半円形状の後壁（３ｄ）の中心とが平面視同一となるように隔設したことによって、箱体（３）内の乱流の発生を押さえることが出来、よって乱流の抵抗が少なく円滑に渦の水流が発生する。また、箱体（３）内の渦の発生位置と、排出口（５）内の渦の発生位置とが同一のため、排出口（５）から連結管（９）の渦が極めてスムーズにつながり空気抜きが極めて効率よく行うことが出来る。
Ｅ）請求項５に記載の本発明は、箱体（３）の後壁（３ｄ）及び左右のサイド壁（３ａ）と、下壁（３ｄ）が交わるコーナー部（６）とが、それぞれアール付けによって連接したことによって、箱体（３）内の乱流の発生を押さえることが出来、よって乱流の抵抗が少なく円滑に渦の水流が発生し、さらに排水スピードが向上することができる。
Ｆ）請求項６に記載の本発明は、箱体（３）の後壁（３ｄ）及び左右のサイド壁（３ａ）と、上壁（３ｃ）が交わるコーナー部（６）とが、それぞれアール付けによって連接したことによって、箱体（３）内の乱流の発生を押さえることが出来、よって乱流の抵抗が少なく円滑に渦の水流が発生し、さらに排水スピードが向上することができる。
Ｇ）請求項７に記載の本発明は、排出口（５）に、上方と下方が異径のソケット部材（７）を取り付け自在に取り付けることによって、排出口（５）の口径と違う連結管（９）の口径を接続することが出来る。
【図面の簡単な説明】
【図１】  本発明の第一実施例を示す平面図である。
【図２】  本発明の第一実施例を示す断面図である。
【図３】  本発明の第一実施例を示す斜視図である。
【図４】  本発明の第一実施例のオーバーフロー装置を槽体に取り付けた状態を示す断面図である。
【図５】  本発明の第二実施例を示す平面図である。
【図６】  本発明の第二実施例を示す断面図である。
【図７】  本発明の第三実施例を示す平面図である。
【図８】  本発明の第三実施例を示す断面図である。
【図９】  本発明の第四実施例を示す平面図である。
【図１０】本発明の第四実施例を示す断面図である。
【図１１】本発明の第四実施例を示す斜視図である。
【図１２】本発明の第四実施例のオーバーフロー装置を槽体に取り付けた状態を示す断面図である。
【図１３】従来のオーバーフロー装置を示す平面図である。
【図１４】従来のオーバーフロー装置を示す断面図である。
【符号の説明】
１    槽体
２    オーバーフロー孔
３    箱体
３ａ  サイド壁
３ｂ  下壁
３ｃ  上壁
３ｄ  後壁
４    取水口
５    排出口
６    コーナー部
７    ソケット部材
８    排水栓
９    連結管
【図１】
0004617414.tif 000002
【図２】
0004617414.tif 000003
【図３】
0004617414.tif 000004
【図４】
0004617414.tif 000005
【図５】
0004617414.tif 000006
【図６】
0004617414.tif 000007
【図７】
0004617414.tif 000008
【図８】
0004617414.tif 000009
【図９】
0004617414.tif 000010
【図１０】
0004617414.tif 000011
【図１１】
0004617414.tif 000012
【図１２】
0004617414.tif 000013
【図１３】
0004617414.tif 000014
【図１４】
0004617414.tif 000015